(57)【特許請求の範囲】
【請求項１】
変動電磁界により振動を生ずる温熱・磁気・加振治療用素子であって、
電気的絶縁性及び耐熱性を有する樹脂材料からなる上側部材と、
電気的絶縁性及び耐熱性を有する樹脂材料からなり前記上側部材に結合されて筒状体を形成する下側部材と、
前記上側部材及び下側部材が結合された状態で、前記各部材より内方に突設され他端部付近まで平行に延びるリブにより厚さ方向において固定されている固定磁性板と、
前記上側部材及び下側部材による挟持にて一端部付近が固定され、上下に位置するリブが中央に向かって高さが低くなるように傾斜していることで、他端部が前記固定磁性板の端部に対し厚さ方向において若干ずれて位置する自由端とされている振動磁性板と、
前記筒状体の外周囲に多数回捲回された電磁コイルとを備えることを特徴とする温熱・磁気・加振治療用素子。
【請求項２】
前記上側部材及び下側部材の樹脂材料は、繊維で補強されているところの請求項１記載の温熱・磁気・加振治療用素子。
【請求項３】
前記上側部材又は下側部材の一方に、電磁コイルの端部を、変動電磁界を発生させる電源に接続するためのターミナル部が一体的に形成されているところの請求項１又は２記載の温熱・磁気・加振治療用素子。
【請求項４】
前記電源は、電磁コイルに直流パルス電流又は交流電流を供給するものであるところの請求項１〜３のいずれかに記載の温熱・磁気・加振治療用素子。
【請求項５】
請求項１〜４のいずれかに記載の温熱・磁気・加振治療用素子が複数個接続されてなるものが、可撓性の材料よりなる外カバー内に連続的に並べて固定されていることを特徴とする温熱・磁気・加振治療用素子を用いた温熱・磁気・加振治療器。
【発明の詳細な説明】
【０００１】
【発明の属する技術分野】
本発明は、筒状体の外周が電磁コイルで多数回捲回され、変動電磁界により振動を生ずる温熱・磁気・加振治療用素子及びそれを用いた温熱・磁気・加振治療器に関するものである。
【０００２】
【従来の技術】
例えば実公平３−３５３４８号公報に記載されるように、断面が中空の扁平楕円形又は中空の扁平多角形を呈するように形成されて対向する扁平部の内面間に圧壊を防止するために該内面と直交する方向の支持部材が装着された金属薄板製の筒状体を電気絶縁体で包むとともに該筒状体の端部開口に電気絶縁体のターミナルブロックを嵌着し、上記筒状体を包む電気絶縁材の外周を一連の電磁コイルで多数回捲回してそのコイル端を上記ターミナルブロックに連結して組立てられた単体の複数個を可撓性の材料よりなる平板状に連続的にならべて固定し、相隣る単体の電磁コイルを上記ターミナルブロックにより互いに連結してこれを交流電流に接続可能とした可撓性を有する温熱、磁気、及び加振治療器は知られている。
【０００３】
かかる温熱・磁気・加振治療器においては、電磁コイルの両端を交流電源に接続することで、扁平形の中空部をへだてて対設せしめられた薄板が、相互に可撓性材料として磁気的牽引力の脈動により、該薄板の弾性によって、中空部を挟む上下の薄板の間に中空部をへだてて互いに接近しあるいは反発する方向の振動が繰り返され、使用者に快感を誘発する振動となって伝えられる。
【０００４】
【発明が解決しようとする課題】
しかしながら、前述したものでは、金属薄板製の筒状体を用い、対向する薄板を振動させるようにしているので、圧壊を防止するための支持部材が設けられているものの、患部に強く押し付けた場合等のように、大きな力が作用した場合には、圧壊するおそれが残されている。また、同様の問題が、例えば実開平２−１０９６５０号公報に記載されている「磁性体からなる平板に導電線を巻き付けた電磁石体に磁性体からなる振動用補助板を緩衝体を介在させて重ね、その上にさらに緩衝体を介在させて非磁性体からなる保護板を重ねて一体化させた治療用振動温熱導子」においても存在する。
【０００５】
本発明はかかる点に鑑みてなされたもので、圧壊のおそれがなく、安定して振動を発生することができる温熱・磁気・加振治療用素子及びそれを用いた温熱・磁気・加振治療器を提供することを目的とする。
【０００６】
【課題を解決するための手段】
請求項１の発明は、変動電磁界により振動を生ずる温熱・磁気・加振治療用素子であって、電気的絶縁性及び耐熱性を有する強樹脂材料からなる上側部材と、電気的絶縁性及び耐熱性を有する樹脂材料からなり前記上側部材に結合されて筒状体を形成する下側部材と、前記上側部材及び下側部材が結合された状態で、前記各部材より内方に突設され他端部付近まで平行に延びるリブにより厚さ方向において固定されている固定磁性板と、前記上側部材及び下側部材による挟持にて一端部付近が固定され、上下に位置するリブが中央に向かって高さが低くなるように傾斜していることで、他端部が前記固定磁性板の端部に対し厚さ方向において若干ずれて位置する自由端とされている振動磁性板と、前記筒状体の外周囲に多数回捲回された電磁コイルとを備えることを特徴とする。
【０００７】
請求項１の発明によれば、電源への接続や電源スイッチのオン等により電磁コイルに電流が流されると、その電流の通過によって電磁コイルが発熱し、温度を上昇せしめるとともに、筒状体の外周に捲回された電磁コイルが励磁コイルとして作用して、筒状体の長手方向の軸線を軸心とする磁束を生成し、周囲に磁気を発生する。また、それとともに、振動磁性板は、一端部が固定され他端部が自由端である片持ち支持状態であり、他端部が厚さ方向において固定磁性板の端部と厚さ方向において若干ずれて位置していることから、発生する変動電磁界によって、他端部が、振動磁性板自体の弾性によって、厚さ方向において振動し、その振動が筒状体を構成する上側部材及び下側部材に伝えられる。
【０００８】
請求項２の発明は、請求項１の温熱・磁気・加振治療用素子において、前記上側部材及び下側部材の樹脂材料が、繊維で補強されている。
【０００９】
請求項２の発明によれば、繊維によって上側部材及び下側部材の強度が高められる。それと共に、このような樹脂材料は、温熱伝導性が低いため、外側への熱伝導（熱放射）がよくなり、内側への蓄熱が軽減される。
【００１０】
請求項３の発明は、請求項１又は２の温熱・磁気・加振治療用素子において、前記上側部材又は下側部材の一方に、電磁コイルの端部を、変動電磁界を発生させる電源に接続するためのターミナル部が一体的に形成されているものである。
【００１１】
請求項３の発明によれば、ターミナル部が一体に形成されているので、電源に接続するためのターミナルブロック等の電源との接続のための別部材を設ける必要がなくなる。
【００１２】
請求項４の発明は、請求項１〜３のいずれかの温熱・磁気・加振治療用素子において、前記電源が、電磁コイルに直流パルス電流又は交流電流を供給するものである。
【００１３】
請求項４の発明によれば、電源が、電磁コイルに直流パルス電流又は交流電流を供給するものであることから、十分な振動感が得られる。
【００１４】
請求項５の発明は、請求項１〜４のいずれかに記載の温熱・磁気・加振治療用素子が複数個接続されてなるものが、可撓性の材料よりなる平板上に連続的に並べて固定されたものである。
【００１５】
請求項５の発明によれば、直列に接続された温熱・磁気・加振治療用素子が、可撓性の材料（例えば布、レザー）よりなる外カバー内に連続的に並べて固定されてシート状とされることから、温熱・磁気・加振の治療を受けようとする患部に適用した状態で通電することにより、凹凸面よりなる患部に対しても均一に接触した状態で、各素子による温熱、磁気、加振の治療が施される。
【００１６】
【発明の実施の形態】
以下、本発明の実施の形態を図面に基づいて説明する。
【００１７】
本発明に係る温熱・磁気・加振治療用素子を示す図１及び図２において、１は後述する温熱・磁気・振動用の治療器１２に用いられる温熱・磁気・加振治療用素子で、筒状体２を有し、該筒状体２は、その外周囲が電磁コイル３で多数回捲回されてなり、電磁コイル３による変動電磁界により振動を生ずるものである。
【００１８】
前記筒状体２は、外周面が湾曲面となっている上側部材４及び下側部材５を有し、それらを４本のねじ６，６，６，６にて結合して形成されるようになっている。上側部材４及び下側部材５は、電気的絶縁性を有する繊維補強樹脂材料（いわゆるＦＲＰ）からなり、電磁コイル３への通電により発熱することから、耐熱性を有する必要がある。具体的には、前記両部材４，５としては、例えばグラスファイバー入りのポリイミドを用いることができ、特に補強繊維としてのグラスファイバーを混合しているから、強度的にもきわめて有利であるが、補強繊維は必ずしも混合する必要はない。
【００１９】
そして、前記上側部材４と下側部材５との間には、図３に示すように、磁性材料からなる矩形状の固定磁性板７（例えばＳＰＣＣ、厚さ１．１５ｍｍ）及び振動磁性板８（例えば珪素鋼板、厚さ０．５ｍｍ）が、後述するように一定の位置関係となるように挟持固定されている。
【００２０】
図４〜図７に示すように、前記上側部材４及び下側部材５は、それぞれ前記ねじ６，６，６，６により結合するためのボス部４ａ，４ｂ，４ｃ，４ｄ及び５ａ，５ｂ，５ｃ，５ｄを有し、ボス部４ａ，４ｂ，４ｃ，４ｄ及び５ａ，５ｂ，５ｃ，５ｄ同士が係合した状態で、両部材４，５が４本のねじ６，６，６，６にて一体的に結合されるようになっている。また、筒状体２の長手方向の中央部位付近においては、各部材４，５から係合凸部４ｅ，５ｅが突設され、両部材４，５を結合した際に、それらも係脱可能に係合するようになっている。
【００２１】
前記固定磁性板７は、一端部付近にボス部４ａ，４ｂ及び５ａ，５ｂに対応する開孔（図示せず）を有し、取付状態では、前記開孔にボス部４ａ，４ｂ及び５ａ，５ｂが嵌挿されて位置決めがなされるようになっている。また、固定磁性板７は、両部材４，５が結合された状態で、各部材４，５より内方に突設され他端部付近まで平行に延びるリブ４ｆ〜４ｉ，５ｆ〜５ｉにより厚さ方向において固定されるようになっている。よって、固定磁性板７は、振動しない。
【００２２】
一方、前記振動磁性板８は、一端部付近にボス部４ｃ，４ｄ及び５ｃ，５ｄに対応する開孔（図示せず）を有し、該開孔にボス部４ｃ，４ｄ及び５ｃ，５ｄが嵌挿されて、位置決めがなされて両部材４，５が結合されるとともに、両部材４，５による挟持にて前記一端部付近が固定されるようになっている。また、他端部付近には、前記係合凸部４ｅ，５ｅに遊嵌合する開孔（図示せず）が設けられ、さらに、振動磁性板８の上下に位置するリブ４ｊ，４ｋ，４ｍ，４ｎ，５ｊ，５ｋ，５ｍ，５ｎが中央に向かって高さが低くなるように傾斜していることから、他端部が自由端となっており、厚さ方向において振動可能となっている。すなわち、振動磁性板８は、いわゆる片持ち支持状態に取り付けられていることになる。
【００２３】
さらに、前記固定磁性板７と振動磁性板８とは、両部材４，５による支持面が厚さ方向においてずれており、その結果、両部材４，５による挟持にて固定された状態では、変動電磁界によって生じる振動磁性板８の他端部の、固定磁性板７の端部に対する反発力が、振動方向に効果的に作用するように、厚さ方向（振動方向）において若干ずれて位置するようになっている。
【００２４】
前記上側部材４の、固定磁性板７が位置する側の端部外周面には、図２に示すように、電磁コイル３の端部を、直流パルス電流を供給する電源（図示せず）に接続するためのターミナル部４ｔが一体的に形成され、そのターミナル部４ｔにおいて、前述したねじ６，６にて各端部が取付固定されている。なお、前記ターミナル部４ｔを除く部分に、前記電磁コイル３が捲回されている。
【００２５】
また、複数個の温熱・磁気・加振治療用素子１，・・が、図８に示すように、前記ターミナル部４ｔ，・・において、接続線１１，・・を介して直列に接続されて、温熱・磁気・加振治療器１２が形成されている。この温熱・磁気・加振治療器１２は、接続具１３を介して、直流パルス電流又は交流電流を供給する電源に接続されるようになっている。
【００２６】
また、直列に接続された温熱・磁気・加振治療用素子１，・・は、図９に示すように、可撓性の材料（例えば布、レザー）よりなる外カバー１４内に連続的に並べて固定され、一体化されている。
【００２７】
なお、具体的に図示していないが、一定温度以上になったときに、電流を遮断するサーモスタット、例えば表面温度が３５℃〜６０℃程度になるように温度コントロールのためのサーミスタを備える。
【００２８】
上記のように構成すれば、温熱・磁気・加振治療器１２を接続具１３を介して電源に接続すると、直流パルス電流又は交流電流の通過によって電磁コイル３が発熱し、各温熱・磁気・加振治療用素子１，・・の温度を上昇せしめるとともに、筒状体２の外周に捲回された電磁コイル３が励磁コイルとして作用して、筒状体２の長手方向の軸線を軸心とする磁束を生成し、温熱・磁気・加振治療器１２の周囲に磁気を発生する。よって、温熱、磁気作用によって血行を促進させる。
【００２９】
それとともに、振動磁性板８の端部（自由端）に、固定磁性板７の端部に対する反発力が一定の周期で発生するので、振動磁性板８の端部が、振動磁性板８自体の弾性によって、厚さ方向への移動を繰り返し、厚さ方向において振動することになる。この振動作用により、マッサージ効果が生じ、さらに血行を促進させ、新陳代謝を促進させ、肩こり、ひじ痛、ひざ関節痛、腰痛、冷え性等の疾患の治療効果を著しく向上させる。
【００３０】
また、特に、電気的絶縁性及び耐熱性を有する繊維補強樹脂材料からなる上側部材４及び下側部材５を結合して、電磁コイル３が多数回捲回されてなる筒状体２を構成しているので、成形が容易で、強度的にも優れる。よって、通常は、腰等の患部に押し当てて使用されるが、例えば尻の下に引いたような場合であっても、変形して圧壊するおそれがない。それと共に、このような樹脂材料は、温熱伝導性が低いため、外側への熱伝導（熱放射）がよくなり、内側への蓄熱が軽減される。
【００３１】
それに加えて、上側部材４及び下側部材５の間に固定磁性板７及び振動磁性板８とを挟持し、前記固定磁性板７と振動磁性板８とが厚さ方向において若干ずれて配置し、振動する部分が患部に直接に接することがないようにしているので、患部との接触により振動の周期が乱されるということがなくなり、筒状体２を通じて安定して振動を患部に伝えることが可能となる。
【００３２】
電源としては、直流パルス電流又は交流電流を供給するものを採用することができるが、特に直流パルス電流を供給するものを採用すれば、振動感が高められ、使用者に快感を誘発する適度の振動となって伝えられる。
【００３３】
また、繊維補強樹脂材料を成形して筒状体２を形成するようにしているので、ターミナル部４ｔを一体に形成することができるようになり、従来のようにターミナルブロック等の接続のための別部材を設ける必要がなく、部品点数の低減、構造のシンプル化が図れる。
【００３４】
さらに、直列に接続された温熱・磁気・加振治療用素子１，・・を、可撓性の材料（例えば布、レザー）よりなる外カバー１４内に連続的に並べて固定してシート状とし、治療を受けようとする患部に適用した状態で通電することにより、凹凸面よりなる患部に対しても均一に接触した状態で温熱・磁気・加振の治療を施すことができる。
【００３５】
【発明の効果】
本発明は、以上説明したような形態で実施され、以下に述べるような効果を奏する。
【００３６】
請求項１の発明は、上記のように、筒状体が、電気的絶縁性及び耐熱性を有する樹脂材料からなり相互に結合される上側部材及び下側部材と、前記上側部材及び下側部材が結合された状態で、前記各部材より内方に突設され他端部付近まで平行に延びるリブにより厚さ方向において固定されている固定磁性板と、前記上側部材及び下側部材による挟持にて一端部付近が固定され、上下に位置するリブが中央に向かって高さが低くなるように傾斜していることで、他端部が前記固定磁性板の端部に対し厚さ方向において若干ずれて位置する自由端とされている振動磁性板とを有し、前記固定磁性板と振動磁性板とを厚さ方向において若干ずれて配置して、変動電磁界によって、固定磁性板の端部に対向する振動磁性板の一端部が、それ自体の弾性によって、上下方向において振動するようにしているので、筒状体の強度を高め、圧壊のおそれをなくすことができるとともに、振動磁性板を患部に接触させることなく、筒状体を通じて患部に振動を伝え、安定して振動を付与することが可能となる。特に、樹脂材料からなる上側部材及び下側部材を結合して筒状体を形成するようにしているので、従来の如く金属薄板を用いる場合に比べて、筒状体の強度を大きく高めることができ、その結果、尻の下にひいた場合等のような無理な負荷が筒状体に作用する使用状態においても圧壊のおそれをなくすことが可能となる。
【００３７】
また、そのような安定した振動に加えて、電磁コイルの発熱による温熱、電磁コイルが励磁コイルとして作用することによる磁気を、従来と同様に適度に発生させることができ、多岐にわたる範囲の治療を行うことが可能となる。さらに、筒状体が構成される上側部材及び下側部材を耐熱性及び電気的絶縁性を有する樹脂材料から形成するようにしているので、電磁コイルの発熱による影響を受けることなく、また、電気絶縁材で筒状体の外周囲を包む必要もなく、安全性を確保して、構造を簡単にすることができる。
【００３８】
請求項２の発明は、上側部材及び下側部材の樹脂材料を、繊維で補強するようにしているので、より強度を高めることができ、圧壊のおそれを確実に回避することが可能となる。それと共に、このような樹脂材料は、温熱伝導性が低いため、外側への熱伝導（熱放射）がよくなり、内側への蓄熱を軽減することも可能となる。
【００３９】
請求項３の発明は、電磁コイルの端部を、変動電磁界を発生させる電源に接続するためのターミナル部を上側部材又は下側部材に一体的に形成するようにしているので、ターミナルブロック等の電源との接続のための部材を別途設ける必要がなくなり、構造が簡単になる。
【００４０】
請求項４の発明は、電源として、電磁コイルに直流パルス電流又は交流電流を供給するものを用いているので、十分な振動感を得ることができる。
【００４１】
請求項５の発明は、直列に接続された温熱・磁気・加振治療用素子を、可撓性の材料（例えば布、レザー）よりなる外カバー内に連続的に並べて固定し、シート状となるようにしているので、治療を受けようとする患部が凹凸面よりなる場合であっても、均一に接触した状態で、各素子による温熱、磁気、加振の治療を施すことができる。
【図面の簡単な説明】
【図１】本発明に係る温熱・磁気・加振治療用素子の斜視図である。
【図２】同分解斜視図である。
【図３】同概略縦断面図である。
【図４】本発明に係る上側部材の正面図である。
【図５】同底面図である。
【図６】本発明に係る下側部材の正面図である。
【図７】同平面図である。
【図８】本発明に係る温熱・磁気・加振治療器の結線組立状態の斜視図である。
【図９】同外カバー組立状態の斜視図である。
【符号の説明】
１      温熱・磁気・加振治療用素子
２      筒状体
３      電磁コイル
４      上側部材
４ｔ    ターミナル部
５      下側部材
７      固定磁性板
８      振動磁性板
１２      温熱・磁気・加振治療器
１４      外カバー
【図１】
0003950198.tif 000002
【図２】
0003950198.tif 000003
【図３】
0003950198.tif 000004
【図４】
0003950198.tif 000005
【図５】
0003950198.tif 000006
【図６】
0003950198.tif 000007
【図７】
0003950198.tif 000008
【図８】
0003950198.tif 000009
【図９】
0003950198.tif 000010